(57)【要約】【課題】２重渦巻状の蛍光ランプの旋回によるランプピンのソケットからの脱落を防止できる照明器具を提供する。【解決手段】  渦巻状に旋回された発光管２２を有する蛍光ランプ２０は、両端部に設けられた口金２３のランプピン２１を器具本体１２に取り付けられたランプソケット１７によって保持することにより保持される。この際、一対の口金２３を連結保持するブリッジ２４または器具本体１２の一方に突起１８を設けるとともに他方に前記突起１８が嵌合する穴２４ｃを設けたので、ブリッジ２４は器具本体により水平移動が阻止される。これにより、蛍光ランプ２０の旋回を阻止して、ランプピン２１がソケット１７から脱落するのを防止することができる。【選択図】図１
2011090994.tif 000002
【特許請求の範囲】
【請求項１】
管状の放電路が中央部を中心として渦巻状に旋回された発光管と前記発光管の両端部にそれぞれ設けられた一対の口金と前記口金に設けられたランプピンと前記一対の口金を連結保持するブリッジとを備えた蛍光ランプと、前記ランプピンと電気的に接続されて前記蛍光ランプに電力を供給するランプソケットと、前記ランプソケットを介して前記蛍光ランプを保持する器具本体とを備えた照明器具において、
前記ブリッジまたは前記器具本体の一方に突起を設けるとともに他方に前記突起が嵌合する穴を設けたことを特徴とする照明器具。
【請求項２】
前記突起および前記穴が、前記発光管の中央部に対して点対称の位置に各々一対設けられていることを特徴とする請求項１記載の照明器具。
【請求項３】
前記穴は前記ブリッジに設けられ、前記突起は前記器具本体に設けられていることを特徴とする請求項１または２記載の照明器具。
【発明の詳細な説明】
【技術分野】
【０００１】
本発明は、管状の放電路が渦巻状に旋回された蛍光ランプを有する照明器具に関するものである。
【背景技術】
【０００２】
従来より、放電路が２重渦巻状に旋回された蛍光ランプが知られている（例えば特許文献１、特許文献２参照）。
図７（Ａ）、（Ｂ）に示すように、特許文献１に記載の蛍光ランプ１００は、管状の放電路が長手方向中央部１０１ａを中心として略同一平面に沿って２重渦巻状に旋回された発光管１０１を有しており、裏面（発光面と反対側）において中央部１０１ａを通って発光管１０１の両端部１０１ｂ、１０１ｂを連結するブリッジ１０２が設けられている。ブリッジ１０２の中央部には、裏側に突出して口金１０３が設けられており、口金１０３の中央には、２対のランプピン１０４が設けられている。また、口金１０３から裏側に突出して一対の保持取っ手１０３ａ、１０３ａが設けられている。
【０００３】
また、図８（Ａ）、（Ｂ）に示すように、特許文献２に記載の蛍光ランプ１１０は、管状の放電路が長手方向中央部１１１ａを始点として同一平面に沿って２重渦巻状に旋回された発光管１１１を有する。発光管１１１の中央部１１１ａは、その他の部分に比して太径となっている。発光管１１１の両端部にはそれぞれ口金１１２、１１２が取付けられている。なお、両口金１１２、１１２は、照射方向と反対側の裏面に設けられたブリッジ１１３によって連結されている。また、各口金１１２、１１２には、一対のランプピン１１４、１１４が、一端を渦巻きの接線方向に突出して設けられている。
【先行技術文献】
【特許文献】
【０００４】
【特許文献１】特開２００７−２７３３３０号公報（第１図）
【特許文献２】特開２００９−１７６６５８号公報（第２図）
【発明の概要】
【発明が解決しようとする課題】
【０００５】
前述した特許文献１に記載の蛍光ランプ１００においては、口金１０３の２対のランプピン１０４をランプソケット（図示省略）に挿入することにより、ソケットを介して蛍光ランプ１００を保持するとともに、点灯電力を商用電源から得る。すなわち、各ランプピン１０４は蛍光ランプ１００の旋回方向と直交しており、蛍光ランプ１００の旋回によってランプピン１０４がソケットから脱落して装着不良を起こすことはない。
【０００６】
しかしながら、前述した特許文献２に記載の蛍光ランプ１１０においては、ランプピン１１４が蛍光ランプ１１０の接線方向に設けられているので、蛍光ランプ１１０が旋回すると、ランプピン１１４がソケットから脱落して装着不良を起こすおそれがあるという問題があった。
【０００７】
本発明は、従来の問題を解決するためになされたもので、２重渦巻状の蛍光ランプの旋回によるランプピンのソケットからの脱落を防止できる照明器具を提供することを目的とする。
【課題を解決するための手段】
【０００８】
本発明の照明器具は、管状の放電路が中央部を中心として渦巻状に旋回された発光管と前記発光管の両端部にそれぞれ設けられた一対の口金と前記口金に設けられたランプピンと前記一対の口金を連結保持するブリッジとを備えた蛍光ランプと、前記ランプピンと電気的に接続されて前記蛍光ランプに電力を供給するランプソケットと、前記ランプソケットを介して前記蛍光ランプを保持する器具本体とを備えた照明器具において、前記ブリッジまたは前記器具本体の一方に突起を設けるとともに他方に前記突起が嵌合する穴を設けた構成を有している。
【０００９】
この構成により、渦巻状に旋回された発光管を有する蛍光ランプは、両端部に設けられた口金のランプピンを器具本体に取り付けられたランプソケットによって保持することにより保持される。この際、一対の口金を連結保持するブリッジまたは器具本体の一方に突起を設けるとともに他方に前記突起が嵌合する穴を設けたので、ブリッジは器具本体により水平移動が阻止される。これにより、蛍光ランプの旋回を阻止して、ランプピンがソケットから脱落するのを防止することができる。
【００１０】
なお、突起および穴を１個ずつ設ける場合には、蛍光ランプの発光管の中央部に対応する位置を避けて設けるのが望ましい。あるいは、発光管の中央部に対応する位置に設ける場合には、突起および穴をブリッジの方向へ長く設けるようにするのが望ましい。これにより、蛍光ランプの旋回を、確実に阻止することができる。
【００１１】
また、本発明の照明器具は、前記突起および前記穴が、前記発光管の中央部に対して点対称の位置に各々一対設けられている構成を有している。
【００１２】
この構成により、突起および穴を発光管の中央部に対して点対称の位置に各々一対設けたので、蛍光ランプの旋回をより効果的に阻止することができ、ランプピンがソケットから脱落するのを防止することができる。
【００１３】
さらに、本発明の照明器具は、前記穴は前記ブリッジに設けられ、前記突起は前記器具本体に設けられている構成を有している。
【００１４】
この構成により、穴をブリッジに設け、突起を器具本体に設けたので、ブリッジは器具本体の突起により係止され、蛍光ランプの旋回を阻止して、ランプピンがソケットから脱落するのを防止することができる。
【発明の効果】
【００１５】
本発明は、一対の口金を連結保持するブリッジまたは器具本体の一方に突起を設けるとともに他方に前記突起が嵌合する穴を設けたので、ブリッジは器具本体により水平移動が阻止される。これにより、蛍光ランプの旋回を阻止して、ランプピンがソケットから脱落するのを防止することができるという効果を有する照明器具を提供できる。
【図面の簡単な説明】
【００１６】
【図１】本発明に係る第１実施形態の照明器具を示す分解斜視図
【図２】（Ａ）は平面らせん形蛍光ランプの平面図、（Ｂ）は（Ａ）中Ｂ方向から見た正面図
【図３】ランプソケットの斜視図
【図４】（Ａ）はブリッジの底面図、（Ｂ）は器具本体の側面図
【図５】（Ａ）はランプピンをランプソケットに装着する前の状態を示す斜視図、（Ｂ）はランプピンをランプソケットに装着した状態を示す斜視図
【図６】本発明の第２実施形態にかかる照明器具における、（Ａ）はブリッジの底面図、（Ｂ）は器具本体の側面図
【図７】従来の照明器具に用いられている蛍光ランプの一例であり、（Ａ）は発光面側から見た斜視図、（Ｂ）は発光面と反対側から見た斜視図
【図８】従来の照明器具に用いられている蛍光ランプの別の例であり、（Ａ）は平面らせん形蛍光ランプの平面図、（Ｂ）は（Ａ）中Ｂ方向から見た正面図
【発明を実施するための形態】
【００１７】
（第１実施形態）
以下、本発明の第１実施形態の照明器具について、図面を用いて説明する。
図１に示すように、本発明の第１実施形態にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１８】
また、底板１２ａの中央部および他方の端部よりには、蛍光ランプとしての平面らせん形蛍光ランプ２０の照明光をパネル１３側に反射して照明効率を向上させる反射板１６が設けられており、反射板１６の上面に、平面らせん形蛍光ランプ２０を装着するための一対のランプソケット１７、１７が取付けられている。これらランプソケット１７、１７は、電源線（図示省略）によって、点灯装置１４に接続されている。
【００１９】
平面らせん形蛍光ランプ２０に対向する面である器具本体１２の一部を構成する反射板１６の上面には、平面らせん形蛍光ランプ２０を係止するために一対の突起１８、１８が設けられている。一対の突起１８、１８は、平面らせん形蛍光ランプ２０の中央部２２ａに対して点対称の位置に設けられている。突起１８は、例えば、棒状の支持部１８ａと、支持部１８ａの上端に頭部１８ｂを有する全体Ｔ字形状の部材を用いることができる。あるいは、単に棒状の部材を用いることもできる。
【００２０】
図２にも示すように、平面らせん形蛍光ランプ２０は、管状の放電路が長手方向中央部２２ａを始点として同一平面に沿って２重渦巻状に旋回された発光管２２を有し、発光管２２の中央部２２ａは、その他の部分に比して太径となっている。発光管２２の両端部にはそれぞれ口金２３、２３が取付けられており、両口金２３、２３は、発光管２２の中央部２２ａに対して、点対称の位置に設けられている。また、各口金２３、２３には、一対のランプピン２１が一端を発光管２２の接線方向に沿って突出して設けられており、他端は発光管２２の内側端部に設けられているフィラメント２５（図５（Ａ）参照）に接続されている。
【００２１】
両口金２３、２３は、照射方向と反対側の裏面に設けられたブリッジ２４によって連結されている。ブリッジ２４は、両端に口金２３を保持する一対の保持部２４ａ、２４ａと、両保持部２４ａを連結する平板状の連結部２４ｂを有する。図４（Ａ）に示すように、連結部２４ｂには、反射板１６に設けられている一対の突起１８、１８が嵌合する一対の穴２４ｃ、２４ｃが設けられている。従って、一対の穴２４ｃ、２４ｃは、ブリッジ２４の中心、すなわち、発光管２２の中央部２２ａに対して点対称の位置に設けられる。また、穴２４ｃの内径は突起１８の頭部１８ｂが通過できる大きさを有し、支持部１８ａは少なくとも装着された平面らせん形蛍光ランプ２０のブリッジ２４の連結部２４ｂの上面に達する高さを有する。
【００２２】
図３に示すように、ランプソケット１７は、例えば円柱状の本体１７ａを有しており、本体１７ａにはランプピン２１を挿入するためのランプピン挿入溝１７ｂが設けられている。ランプピン挿入溝１７ｂの内部には、一対のランプピン２１、２１を保持して導通するために一対の導電板１７ｃ、１７ｃが設けられている。また、取っ手１７ｅを移動させることにより、本体１７ａの外周面に沿ってランプピン挿入溝１７ｂを閉じる開閉蓋１７ｄが設けられている。
【００２３】
平面らせん形蛍光ランプ２０を器具本体１２に取付ける際には、図５（Ａ）に示すように、平面らせん形蛍光ランプ２０の両端の口金２３、２３に設けられているランプピン２１、２１を、ランプソケット１７のランプピン挿入溝１７ｂに位置決めする。そして、平面らせん形蛍光ランプ２０をまっすぐに降ろしてランプピン２１をランプソケット１７の内部に挿入する（図５（Ｂ）参照）。このとき、反射板１６に設けられている突起１８が、平面らせん形蛍光ランプ２０のブリッジ２４に設けられている穴２４ｃに嵌合する（図４参照）。その後、ランプソケット１７の取っ手１７ｅを操作して開閉蓋１７ｄ（図３参照）を閉じることにより固定する。
【００２４】
以上、説明した第１実施形態の照明器具１０によれば、平面らせん形蛍光ランプ２０は、両端部に設けられた口金２３のランプピン２１をランプソケット１７に保持されるとともに、器具本体１２の反射板１６に設けられた一対の突起１８により平面らせん形蛍光ランプ２０のブリッジ２４を係止する。この際、一対の突起１８、１８は、平面らせん形蛍光ランプ２０の渦巻状に旋回された発光管２２の中央部２２ａに対して点対称の位置にあるので、平面らせん形蛍光ランプ２０の旋回を阻止する。これにより、平面らせん形蛍光ランプ２０が旋回して、ランプピン２１がランプソケット１７から脱落するのを防止することができる。
【００２５】
なお、前述した照明器具１０においては、器具本体１２の反射板１６に突起１８を設け、平面らせん形蛍光ランプ２０のブリッジ２４に突起１８が嵌合する穴２４ｃを設けた場合を示したが、逆に、平面らせん形蛍光ランプ２０のブリッジ２４に突起を設け、器具本体１２の反射板１６に突起が嵌合する穴を設けることも可能である。
【００２６】
また、ブリッジ２４に設けた穴２４ｃを、突起１８の頭部１８ｂが通過できる丸穴とした場合を示したが、ランプピン２１をランプソケット１７に挿入する際に平面らせん形蛍光ランプ２０を旋回させる照明器具においては、穴２４ｃの形状を、頭部１８ｂが通過できる内径の大きな丸穴部と、この丸穴部に連続し頭部１８ｂが通過した後に支持部１８ａが通過できる幅狭の円弧状部分とから構成するのが望ましい。
【００２７】
（第２実施形態）
次に、本発明に係る第２実施形態の照明器具１０Ｂの要部を図６に示す。なお、前述した第１実施形態に係る照明器具１０と共通する部位には同じ符号を付して、重複する説明を省略する。
【００２８】
図６（Ａ）および（Ｂ）に示すように、第２実施形態の照明器具１０Ｂでは、第１実施形態の照明器具１０において器具本体１２の反射板１６に設けられた一対の突起１８、１８に代わって、１個の切起し１９を設け、平面らせん形蛍光ランプ２０のブリッジ２４に設けた穴２４ｃに代わって矩形の開口部２４ｄを設けた。
【００２９】
切起し１９は、反射板１６における発光管２２の中央部２２ａに対応する位置を切起して設け、一方向、例えばブリッジ２４の長手方向に沿って長く設けられている。開口部２４ｄは、ブリッジ２４において発光管２２の中央部２２ａに対応する位置に設けられており、切起し１９に対応した方向および切起し１９の長さよりも若干短い長さで設けられている。なお、切起し１９は、少なくとも装着された平面らせん形蛍光ランプ２０のブリッジ２４の連結部２４ｂの上面に達する長さが必要である。
【００３０】
以上、説明した第２実施形態の照明器具１０Ｂによれば、反射板１６を切起して突起である切起し１９を設けたので、別部品を必要とせず、コストダウンを図ることができる。また、切起し１９を一方向に長く設けたので、ブリッジ２４を介して平面らせん形蛍光ランプ２０の旋回を防止でき、ランプピン２１がソケット１７から脱落するのを防止することができる。
なお、切起し１９の代わりに突起を構成する別部品を取り付けることも可能である。
【００３１】
なお、本発明の照明器具は、前述した各実施形態に限定されるものでなく、適宜な変形、改良等が可能である。
【符号の説明】
【００３２】
１０  照明器具
１２  器具本体
１７  ランプソケット
１８  突起
２０  平面らせん形蛍光ランプ（蛍光ランプ）
２１  ランプピン
２２  発光管
２２ａ  中央部
２３  口金
２４  ブリッジ
２４ｃ  穴
【図１】
2011090994.tif 000003
【図２】
2011090994.tif 000004
【図３】
2011090994.tif 000005
【図４】
2011090994.tif 000006
【図５】
2011090994.tif 000007
【図６】
2011090994.tif 000008
【図７】
2011090994.tif 000009
【図８】
2011090994.tif 000010